(57)【要約】  本発明は隠された固定システムを有する衝撃を吸収する適応可能な履物に関し、前記履物は、少なくとも一つの緩衝器具と、足の足底を支持するための器具と、履物の本体の内側の材料内に配置される付属品固定器具を備えている。緩衝器具は、履物の靴底の少なくとも一つの部分上に配置される緩衝要素がその間に存在する二つのシートを備えている。足の足底を支持するための器具は、履物の本体が伸張又は縮小することを可能にする弾性材料の領域を備えている。
2018521827.tif 000002
【特許請求の範囲】
【請求項１】
従来の中敷き（６）と、その前部に配置される足底支持器具（８）と、二つの付属品の固定の器具（１２）をその上に配置した、少なくとも一つの減衰器具を備えていることを特徴とする、隠された固定システムを有する衝撃のない適応可能な靴。
【請求項２】
前記減衰器具が、堅固な底部ブレード（２）と、前記下方のブレード（２）に取り付けられる堅固なブレード（３）と、最上部の堅固なブレード（５）と、少なくとも一つのショックアブソーバー要素（４）と、靴底（１）を伴う堅固なブレード（３）と前記底部ブレード（２）の間の少なくとも一つの接合の手段を備えていることを特徴とする、請求項１に記載の隠された固定システムを有する衝撃のない適応可能な靴。
【請求項３】
前記ショックアブソーバー要素（４）が前記底部ブレード（２）と前記最上部ブレード（５）の間に配置されるバネ又は類似のものであることを特徴とする、請求項２に記載の隠された固定システムを有する衝撃のない適応可能な靴。
【請求項４】
前記足底支持器具（８）が、少なくともその周縁により靴底（１）に取り付けられる内側の領域（９）と、前記内側の領域（９）の外周に取り付けられる中間領域（１０）と、その周縁が前記中間領域（１０）の外周に取り付けられる自由領域（１５）を含むことを特徴とする、請求項１に記載の隠された固定システムを有する衝撃のない適応可能な靴。
【請求項５】
各固定器具（１２）が靴の本体の内側に二つ以上の切り込み（１３）を有し、かつ前記切り込みが作られた領域内に補強の部品（１４）を有することを特徴とする、請求項１に記載の隠された固定システムを有する衝撃のない適応可能な靴。
【請求項６】
前記下方のブレード（２）が前記履物の靴底内に収容される（absorbed）ことを特徴とする、請求項２に記載の隠された固定システムを有する衝撃のない適応可能な靴。
【請求項７】
前記減衰器具が組み立て靴底（plant of mounted）において組み込まれることを特徴とする、請求項１又は２に記載の隠された固定システムを有する衝撃のない適応可能な靴。
【請求項８】
前記減衰器具が前部に組み込まれることを特徴とする、請求項１又は２に記載の隠された固定システムを有する衝撃のない適応可能な靴。
【請求項９】
前記減衰器具がその組み立て靴底の中央に組み込まれることを特徴とする、請求項１に記載の隠された固定システムを有する衝撃のない適応可能な靴。
【請求項１０】
前記減衰器具が前記靴底の全体に組み込まれることを特徴とする、請求項１又は２に記載の隠された固定システムを有する衝撃のない適応可能な靴。
【請求項１１】
前記足底支持器具（８）の内部領域が履物の組み立て靴底であることを特徴とする、請求項１に記載の隠された固定システムを有する衝撃のない適応可能な靴。
【請求項１２】
前記足底支持器具（８）の内部領域が靴の組み立て靴底の最上部に取り付けられることを特徴とする、請求項１に記載の隠された固定システムを有する衝撃のない適応可能な靴。
【発明の詳細な説明】
【技術分野】
【０００１】
（発明の目的）
本発明の目的は、歩行中又は走行中のときに発生する衝撃を吸収する複数の器具を組み込む新規な履物であり、前記履物の本体がその美観を拡張および改善し得ることを可能にする。
【背景技術】
【０００２】
（発明の背景）
行進又は競走中には、一方において靴底により吸収される地面に対する足の一連の衝撃が生成されるが、これらはとりわけ関節及び骨により吸収され、さらに足の横方向の伸張により吸収され、前記伸張は立っているときにも発生してそのため脚部における循環の問題を有する。
【０００３】
衝撃を和らげるために多数の解決法が開発され、その中において製造に使用された材料又は靴底の内側の空気室により衝撃を良好に緩和及び吸収する靴底及び中敷きの製造が目立つ。 同様に、伸張されるときに足を吸収して圧縮しないために、圧力が作用する前に何らかの手段により伸びる弾性布が使用される。
【０００４】
以前の解決法の最大の欠点は、それらが主に運動靴において、又は自由時間のために、かつ基本的には審美上の理由のために使用され、特定の優雅さを必要とする他の生活の状況において使用される履物に殆ど適用されないことである。
【０００５】
隠された固定システムを有するカスタマイズ可能な衝撃のない履物は、靴本体内の弾性材料を使用せずに衝撃を吸収して足の膨張を吸収し、履物の製造中に組み込まれ得る一連の器具を組み込む履物を使用して、上述の問題に対する解決法を提唱した。
【発明の概要】
【課題を解決するための手段】
【０００６】
（発明の説明）
本発明の目的である隠された固定システムを有する衝撃のない適応可能な靴は、以下のようになるように緩衝器具、足底支持器具及び付属品固定器具のうちの少なくとも一つ以上を備えている。
【０００７】
減衰器具は参照される靴底の上面の少なくとも後部に配置され、その形状及び寸法がそれが準備されるときの靴底の部分の形状及び寸法とほぼ等しい下方の堅固なブレードと、底部のブレードに取り付けられて幅が底部のブレードの幅より小さく長さが参照される底部のブレードの長さより大きい堅固なブレードと、その形状及び寸法が底部のブレードの形状及び寸法とほぼ等しい上方の堅固なブレードと、底部のブレードと最上部のブレードの間の一つ以上の緩衝配置要素と、堅固な靴底と底部の堅固なブレードにより形成される組み立て品の間の一つ以上の接合の手段から構成される。
【０００８】
足底支持器具は少なくとも履物の前部において準備され、組み立て靴底（plant of mounted）上において準備され、関係する足底支持装置は、少なくともその周縁について靴底に取り付けられる、履物の靴底の形状にほぼ等しい形状と靴底の寸法より小さい寸法の下方領域から構成される。
【０００９】
その内周が内部領域の外周の形状及び寸法にほぼ等しい形状及び寸法を有する、内部領域に取り付けられる弾性材料の中間領域は、関係する領域の外周が靴底の形状に似た形態と前述の靴底の寸法より小さい寸法を有する。
【００１０】
履物の同一の本体によって形成される自由領域は、足を履物に入れて床上に置くときに足が伸張し、従って中間領域を伸張させ、靴本体の材料のみが外側から見えて中間領域が隠されるような方法により、その周縁が中間領域の外周に重複して接着又は同様の手順によりこれに接合される。
【００１１】
付属品固定器具は靴の本体の内側に設けられ、付属品固定器具は、コード、ロープ又はストリップのような履物の付属部品を固定するように意図されている。
【発明を実施するための形態】
【００１２】
（好適な実施形態）
図１〜４は、本説明の目的である、異なる隠された固定システムを有する衝撃のない履物器具を示す。
【００１３】
図１は、靴底（１）の後部に配置され、従来の中敷き（template）（６）が設けられた単一の減衰器具を組み込む靴を示し、参照される減衰装置は、以下のものから構成される。
・その形状および寸法が、それが位置する靴底の後部の形状及び寸法にほぼ等しい、堅固な底部シート（２）。
・その幅が底部ブレードの幅より小さく、その長さが参照される底部ブレードの長さより大きく、靴底を固定する手段により取り付けられる、底部ブレードに取り付けられる堅固なブレード（３）。
・その形状及び寸法が底部ブレードの形状及び寸法にほぼ等しい堅固な最上部シート（５）。
・好適にはバネ及び／又は減衰器具を備えており、底部ブレードと最上部ブレードの間に配置される一つ以上の要素のショックアブソーバー（４）。
・底部ブレードセットと靴底を有する堅固なブレードの間の一つ以上の接合の手段。
【００１４】
減衰器具の設計の選択は、以下の通りである。
・下方ブレードが靴底内に組み込まれ得る。
・減衰器具が組み立て靴底において組み込まれ得て、従ってそれに隣接して製造され得る（to be manufactured beside this one）。
・履物はその前部、後部若しくは中央部分、又は関係する部分のうちの一つ以上若しくは靴底全体に減衰器具を組み込み得て、例えば図２には、ヒールの領域に配置され得て一つがその後方領域に配置され別のものがその前方領域に配置される、二つの減衰器具を組み込む女性用ヒール靴の断面が示される。
【００１５】
減衰器具の組み込みの別の例は図２に示され、これは好適には女性用であるヒール靴を示し、ここでは一つがヒールの後方部分又は領域にあって他方が前方又は最上部分にある二つの減衰器具を配置しており、この好適な実現においては二つの器具の底部ブレードが組み立て靴底内に組み込まれ、これが続いて靴に接合される（is joins to）。
【００１６】
図３は、その前部に配置される組み立て靴底支持器具（８）と、二つの付属品固定器具（１２）を組み込む履物の断面を示す。組み立て靴底の支持器具は、以下のものから構成される。
・靴底の形状にほぼ等しい形状と前述の靴底の寸法より小さい寸法を有し、上述の内部領域は少なくともその周縁により前述の靴底に取り付けられ、この内部領域が装着する（mounting）中敷きであり得る、内部領域（９）。
・その内径が内部領域（９）の外径に付加され、その外周が靴底の形状に類似する形状を有し、前述の靴底の寸法より小さい、弾性材料の中間領域（１０）。
・履物と同一の本体により形作られ、その周縁が接着又は類似の手順により中間領域の外周に重なってこれに取り付けられる、自由領域（１５）。
【００１７】
この組み立て靴底支持器具設計により、靴の中に足を導入してこれを地面上において支持することによって、足は伸張して従って中間領域を伸張させ、靴の本体の材料のみが外側から見えて中間領域は隠され、既に（already）全ての中間領域は靴底と接触している。
【００１８】
組み立て靴底の支持器具の設計の選択は、同一のものの内部領域が履物の組み立て靴底であるか、又はこの内部領域が組み立て靴底の上面に取り付けられることである。
【００１９】
図３及び４は付属品固定器具を示し、固定器具は、コード、紐又はストリップであり得る。これらの付属品固定器具は、靴の本体の内側の部分内に配置される。上記名称を付けられる固定手段のそれぞれは、履物本体の材料の内部に作られる二つ以上の切り込み（１３）から構成され得て、これらの切り込みはその周縁において補強され得て、補強器具の部品（１４）が切り込みが作られた領域において利用可能である。固定器具の組み込みは、一方においては、例えば組み合わせることを望む異なる衣服に従って多数の異なるモデルの履物を有する必要なく補完的な履物の固定手段を組み込むことを可能にし、また例えば靴をブーツ（booty）又はハイトップ（high cane）のブーツにさえ変換することをも可能にする。加えて、付加物が靴の内側上にあるようにそれらの中に配置される切り込みは、靴の本体の外側において認識されない（not appreciated）。
【００２０】
減衰器具は、床に対する衝撃又は衝突を和らげる機能を有し、ハイヒール靴において必要不可欠であって、従って接合部における痛み及び損傷を回避する。関係する器具は、行進又は競走における大きな快適性を生み出す。
【００２１】
組み立て靴底支持器具、従って足指は、靴の本体がそれを押圧することなく着用する足に適合することを可能にし、これは弾性であるべき中間領域が履物の組み立て靴底支持器具と本体の組み合わせが広がることを可能にするからである。
【００２２】
最後に、付属品固定器具は靴材料の本体の内側に配置され、靴本体の外側において認識されない。そしてこれらの器具は、異なる方法により靴、コード、ロープ又はストリップを組み込むことを可能にするため、追加の取り外し可能な形状、足における履物の従属の補完的手段、及び履物の外部態様を変更すること、例えばブーツ又はハイトップのブーツに靴を変形することを可能にする異なる付属品を組み込むことができる。
【図面の簡単な説明】
【００２３】
【図１】減衰器具の表出の斜視図を示す。
【図２】一つはその前部にあり他方の設置はその後部にある、二つの緩衝器具を組み込む女性用ヒール靴の長手方向断面を示す。
【図３】足底支持器具の断面の図を示す。
【図４】付属品固定器具の詳細を示す。
【図１】
2018521827.tif 000003
【図２】
2018521827.tif 000004
【図３】
2018521827.tif 000005
【図４】
2018521827.tif 000006
【国際調査報告】
2018521827.tif 000007
2018521827.tif 000008
2018521827.tif 000009
2018521827.tif 000010
2018521827.tif 000011